(57)【要約】【課題】ヘッドスキューを低減することにより、高記録密度を実現することが可能な磁気記憶装置を提供することである。【解決手段】円盤状の磁気ディスクと、前記磁気ディスクへの信号の記録および読み出しを行う磁気ヘッドが一端部に取り付けられると共に他端部が回転可能に保持されるヘッドアーム部材とを備える磁気記録装置において、前記ヘッドアーム部材の前記一端部に複数の磁気ヘッドを設けた。【選択図】        図１
2004310839.tif 000002
【特許請求の範囲】
【請求項１】
円盤状の磁気ディスクと、前記磁気ディスクへの信号の記録および読み出しを行う磁気ヘッドが一端部に取り付けられると共に他端部が回転可能に保持されるヘッドアーム部材とを備える磁気記録装置において、前記ヘッドアーム部材の前記一端部に複数の磁気ヘッドを設けたことを特徴とする磁気記録装置。
【請求項２】
請求項１に記載の磁気記録装置において、前記ヘッドアーム部材を前記磁気ディスクの半径方向に対して２以上に分割して、前記分割されたヘッドアーム部材の一端部にそれぞれ前記磁気ヘッドを設けたことを特徴とする磁気記録装置。
【請求項３】
請求項１または２に記載の磁気記録装置において、前記磁気ディスクの有効記録領域は内周側から外周側方向に複数の領域に分けられると共に、前記複数の領域に前記複数の磁気ヘッドがそれぞれ割り当てられており、各磁気ヘッドは前記割り当てられた領域への信号の記録および読み出しを行うことを特徴とする磁気記録装置。
【請求項４】
請求項３に記載の磁気記録装置において、前記複数の磁気ヘッドの間隔が前記磁気ディスクの有効記録幅の１／ｎ（ｎは磁気ヘッドの個数）であることを特徴とする磁気記録装置。
【発明の詳細な説明】
【０００１】
【発明の属する技術分野】
本発明は、磁気記録装置に関し、特に、複数の磁気ヘッドを有する磁気ディスク装置に関するものである。
【０００２】
【従来の技術】
従来の磁気ディスク装置は、アルミニウム合金等により形成された筐体にスピンドルモータが配設されていると共に、このスピンドルモータによって角速度一定で回転駆動される磁気ディスクが備えられている。この筐体には、ヘッドアーム部材が支持軸の周りに揺動可能に取り付けられている。このヘッドアーム部材の一端には、ボイスコイルが取り付けられ、またこのヘッドアーム部材の他端には、ヘッドスライダが取り付けられている。筐体上には、ボイスコイルを挟持するように、一対のマグネットが取り付けられている。ボイスコイル及び一対のマグネットにより、ボイスコイルモータが形成されている。
【０００３】
このような構成において、ボイスコイルモータに外部から電流が供給されると、ヘッドアーム部材は支持軸の周りを回動する構成となっている。これにより、支持アーム部材の他端に取り付けられたスライダは、磁気ディスクの実質的に半径方向に移動する。従って、このスライダに搭載された磁気ヘッドは、磁気ディスクに対してシーク動作し、磁気ディスクの所定のデータトラック等に対してデータ等の記録再生を行なう構成となっている（例えば、特許文献１参照。）。
【０００４】
【特許文献１】
特開平９−３０５９６６号公報
【０００５】
【発明が解決しようとする課題】
本発明者は、前記従来技術を検討した結果、以下の問題点を見いだした。
従来の磁気ディスク装置は、１つの磁気ヘッドをボイスコイルモータで駆動し、記録トラック（データトラック）をスキャンしているので、磁気ディスクの内周と外周とではヘッドスキュー（トラック方向に対するヘッドの角度）が発生する。このため、面内磁気記録媒体に記録する場合には、実効トラック幅が狭くなってしまい再生信号出力が低下してしまう。また、２層垂直磁気記録媒体に記録する場合には、記録ポール側面からの磁界による書き込みが行われ記録ポール幅よりも実効トラック幅が広くなるために、トラックピッチを小さくできない。
【０００６】
高記録密度化のためには、磁気ヘッドの記録ポール幅を狭くすることが有効である。
【０００７】
しかしながら、記録ポール幅に合わせて記録ポール長を小さくした場合、記録ポールのＡＢＳ（ａｉｒ  Ｂｅａｒｉｎｇ  Ｓｕｒｆａｃｅ）面の面積が小さくなってしまうので、記録に十分なヘッド磁界が確保できなくなるという問題がある。一方、記録ポール長を小さくせずに記録ポール幅のみを狭くした場合、ディスクの内周と外周とではヘッドスキューによる影響が顕著になってしまうので、トラックピッチは狭くならずに高記録密度を実現できないという問題がある。
【０００８】
本発明の目的は、ヘッドスキューを低減することにより、高記録密度を実現することが可能な磁気記憶装置を提供することにある。
【０００９】
本発明の前記ならびにその他の目的と新規な特徴は、本明細書の記述及び添付図面によって明らかになるであろう。
【００１０】
【課題を解決するための手段】
本願において開示される発明のうち、代表的なものの概要を簡単に説明すれば、下記のとおりである。
【００１１】
（１）円盤状の磁気ディスクと、前記磁気ディスクへの信号の記録および読み出しを行う磁気ヘッドが一端部に取り付けられると共に他端部が回転可能に保持されるヘッドアーム部材とを備える磁気記録装置において、前記ヘッドアーム部材の前記一端部に複数の磁気ヘッドを設けた。
【００１２】
（２）前述した（１）に記載の磁気記録装置において、前記ヘッドアーム部材を前記磁気ディスクの半径方向に対して２以上に分割して、前記分割されたヘッドアーム部材の一端部にそれぞれ前記磁気ヘッドを設けた。
【００１３】
（３）前述した（１）または（２）に記載の磁気記録装置において、前記磁気ディスクの有効記録領域は内周側から外周側方向に複数の領域に分けられると共に、前記複数の領域に前記複数の磁気ヘッドがそれぞれ割り当てられており、各磁気ヘッドは前記割り当てられた領域への信号の記録および読み出しを行う。
【００１４】
（４）前述した（３）に記載の磁気記録装置において、前記複数の磁気ヘッドの間隔が前記磁気ディスクの有効記録幅の１／ｎ（ｎは磁気ヘッドの個数）である。
【００１５】
前述した手段によれば、ヘッドアーム部材の一端部に複数の磁気ヘッドを設けた構成となるので、磁気ディスクの同一記録面に対して複数個の磁気ヘッドの何れかを用いて信号の読み書き（記録再生）を行うこととなる。ここで、各磁気ヘッドはヘッドアーム部材の動作により磁気ディスクの半径方向に移動されるので、磁気ディスクの有効記録領域が内周側から外周側方向に複数の領域に分けられると共に、この複数の領域に複数の磁気ヘッドがそれぞれ割り当てられ、各磁気ヘッドが割り当てられた領域のみへの信号の記録および読み出しを行うことによって、従来よりもヘッドスキュー（スキュー角）を小さく信号の記録及び読み出しが可能となる。その結果、磁気ヘッドの記録ポール幅を狭くした場合であっても、再生信号出力の低下等を改善することができ、磁気記録装置の高記録密度を実現することができる。
【００１６】
このとき、ヘッドアーム部材を磁気ディスクの半径方向に対して２以上に分割し、この分割されたヘッドアーム部材の一端部にそれぞれ磁気ヘッドを設けることによって、前述した効果に加えて、磁気ヘッドの間隔を大きく離間させることができるため、シークタイムの短縮と高精度な位置決めとが可能となるという格別の効果を得ることができる。
【００１７】
さらには、複数の磁気ヘッドの間隔を磁気ディスクの有効記録幅の１／ｎ（ｎは磁気ヘッドの個数）に設定することによって、ヘッドスキューをさらに小さくすることができる。
【００１８】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００１９】
図１は本発明の一実施の形態の磁気記録装置である磁気ディスク装置の概略構成を説明するための図である。ただし、以下の説明では、磁気ディスク装置における記録方式として、信号磁化の向きが記録媒体１０５の面内方向（長手方向）である面内磁気記録方式（長手磁気記録方式）の場合について説明するが、信号磁化の向きが記録媒体１０５の面に対して垂直方向である垂直磁気記録方式にも適用可能なことはいうまでもない。
【００２０】
図１において、１０１は第１のヘッド、１０２は第２のヘッド、１０３はヘッドアーム部材、１０４はボイスコイルモーター、１０５は記録媒体（磁気ディスク）、１０６は有効記録領域、Ｗｗは有効記録幅を示す。
【００２１】
図１から明らかなように、本実施の形態の磁気ディスク装置は、例えば図示しないスピンドルモータによって、角速度一定で回転駆動される記録媒体１０５を備えている。この記録媒体１０５の記録面側にはヘッドアーム部材１０３が配置されており、このヘッドアーム部材１０３は図示しない垂直軸（回転軸）の周りに揺動可能に取り付けられている。ヘッドアーム部材１０３の一端側は、磁気媒体の半径方向に対して２以上に分割される構成となっており、この分割されたヘッドアーム部材１０３の一端部にそれぞれ第１のヘッド１０１及び第２のヘッド１０２が取り付けられている。また、ヘッドアーム部材１０３の他端には、周知のボイスコイル１０４が取り付けられ、図示しない筐体上には、このボイスコイル１０４を挟持するように、周知の図示しない一対のマグネットが取り付けられている。このボイスコイル１０４及び一対のマグネットにより、ボイスコイルモータが形成されている。なお、本実施の形態のヘッドアーム部材１０３、並びに第１及び第２のヘッド１０１，１０２の詳細構成については、後述する。
【００２２】
このような構成において、ボイスコイル１０４に図示しない制御部から電流が供給されると、ヘッドアーム部材１０３は、一対のマグネットの磁界と、このボイスコイル１０４に流れる電流とによって生ずる力に基づいて、垂直軸の周りを回動する。これにより、ヘッドアーム部材１０３の一端に取り付けられた第１及び第２のヘッド１０１，１０２は、それぞれ記録媒体１０５の実質的に半径方向に移動する。すなわち、第１及び第２のヘッド１０１，１０２は、記録媒体１０５に対してシーク動作し、記録媒体１０５の所定の記録トラック等に対してデータ等の信号の記録再生を行なう。
【００２３】
ただし、本実施の形態の磁気ディスク装置では、第１及び第２のヘッド１０１，１０２は、図示しない周知のスライダと、このスライダに搭載される磁気ヘッドとから構成されている。
【００２４】
本実施の形態の磁気ディスク装置では、第１のヘッド１０１と第２のヘッド１０２との間隔は記録媒体１０５の有効記録幅Ｗｗの１／２となるように、ヘッドアーム部材１０３が形成されている。なお、有効記録幅Ｗｗは記録媒体１０５における有効記録領域１０６の半径方向の幅である。
【００２５】
また、本実施の形態の磁気ディスク装置では、記録媒体１０５の有効記録幅Ｗｗの内周側から１／４Ｗｗの位置で第２のヘッド１０２のヘッドスキュー（スキュー角）がなくなるように、ヘッドアーム部材１０３及び第２のヘッド１０２が構成されている。また、記録媒体１０５の有効記録幅Ｗｗの内周側から３／４Ｗｗの位置で第１のヘッド１０１のヘッドスキューがなくなるように、ヘッドアーム部材１０３及び第１のヘッド１０１が構成されている。
【００２６】
さらには、第１のヘッド１０１が信号の記録と再生とを行う領域は、記録媒体１０５の有効記録幅Ｗｗの１／２Ｗｗから外周側までの領域となり、第２のヘッド１０２が信号の記録と再生とを行う領域は記録媒体１０５の有効記録幅Ｗｗの１／２Ｗｗから内周側までの領域となるように設定されている。なお、第１及び第２のヘッド１０１，１０２が記録再生を行う場合の制御の詳細については、後述する。
【００２７】
図２はヘッドスキューと有効トラック幅との関係を説明するための図である。特に、図２の（Ａ）はヘッドスキューが０（ゼロ）の場合の有効トラック幅を説明するための図であり、図２の（Ｂ）はヘッドスキューが角度θの場合の有効トラック幅を説明するための図である。
【００２８】
図２において、ａは記録ポール幅、ｂは記録ポール長、θはヘッドとトラックとのなす角度、Ｔｗ１はヘッドスキューの生じない時の有効トラック幅、Ｔｗ２はヘッドスキューが生じた場合の有効トラック幅を示す。
【００２９】
本実施の形態の磁気ディスク装置では、第１のヘッド１０１は記録媒体１０５の有効記録幅Ｗｗの内周側から３／４Ｗｗの位置で、ヘッドスキューがなくなるように構成されている。また、第２のヘッド１０２は記録媒体１０５の有効記録幅Ｗｗの内周側から１／４Ｗｗの位置で、ヘッドスキューがなくなるように構成されている。
【００３０】
従って、記録媒体１０５の有効記録幅Ｗｗの内周側から３／４Ｗｗの位置へのアクセスが第１のヘッド１０１によりなされる場合には、図２の（Ａ）に示すように、第１のヘッド１０１とトラックとのヘッドスキューがなくなり、有効トラック幅Ｔｗ１は第１のヘッド１０１の記録ポール幅ａとなり、Ｔｗ１＝ａとなる。同様にして、記録媒体１０５の有効記録幅Ｗｗの内周側から１／４Ｗｗの位置へのアクセスが第２のヘッド１０２によりなされる場合にも、図２の（Ａ）に示すように、第２のヘッド１０２とトラックとのヘッドスキューがなくなり、有効トラック幅Ｔｗ１はＴｗ１＝ａとなる。
【００３１】
一方、第１のヘッド１０１が記録媒体１０５の３／４Ｗｗ以外、第２のヘッド１０２が記録媒体１０５の１／４Ｗｗ以外の位置にそれぞれアクセスする場合には、図２の（Ｂ）に示すように、第１及び第２のヘッド１０１，１０２とトラックとにはアクセス位置に応じた角度θのヘッドスキューが生じることとなる。従って、ヘッドスキューの生じた有効トラック幅Ｔｗ２は、Ｔｗ２＝ａ×ｃｏｓθ＋ｂ×ｓｉｎθとなる。特に、本実施の形態の磁気ディスク装置では、第１のヘッド１０１による記録媒体１０５の内周側あるいは内周側から１／２Ｗｗの位置へのアクセス、及び第２のヘッド１０２による記録媒体１０５の外周側あるいは内周側から１／２Ｗｗの位置へのアクセスがそれぞれなされる場合に角度θが最大値となり、有効トラック幅Ｔｗ２が最も大きくなる。
【００３２】
本実施の形態の磁気磁気ディスク装置では、記録媒体１０５の有効記録領域１０６をヘッド数と同じ２つの領域に分割し、各領域に記録再生を行うヘッドを１つずつ割り当てる構成となっているので、ヘッドスキューの角度θが従来構成の磁気ディスク装置におけるヘッドスキューの半分となる。従って、ヘッドスキューが生じた場合の有効トラック幅Ｔｗ２も、ヘッドを１つとした従来構成の場合の磁気ディスク装置に比較して大きく低減させることができる。
【００３３】
このように、本実施の形態の磁気ディスク装置では、記録媒体１０５の同一面への信号の記録再生を第１及び第２のヘッド１０１，１０２の２個のヘッドにより行う構成となっているので、その制御部においても従来の磁気ディスク装置が備える構成に加えて、第１のヘッド１０１と第２のヘッド１０２の何れを使用するかの判断を行う構成を備えている。以下の説明では、本実施の形態の磁気ディスク装置に特徴的な構成、すなわち入力されたアドレスに基づいて、第１及び第２のヘッド１０１，１０２の何れを使用するかの判定に基づいた制御を行う構成について説明する。
【００３４】
本実施の形態の磁気ディスク装置の制御部は、第１のヘッド１０１が記録再生を行う有効記録幅Ｗｗの１／２Ｗｗから外周側に対応するアドレスと、第２のヘッド１０２が記録再生を行う有効記録幅Ｗｗの１／２Ｗｗから内周側に対応するアドレスとに応じて、第１のヘッド１０１と第２のヘッド１０２との何れか一方を所望の位置（アドレスに対応する位置）へ移動制御させる手段を有する構成となっている。すなわち、有効記憶領域１０６に割り当てたアドレス情報と記憶媒体１０５の面内での位置情報とに加えて、使用するヘッドの情報を格納するテーブルを備える。ここで、アドレスが入力された場合には、テーブルを参照することによって、入力されたアドレスに対応する位置情報と使用するヘッドの情報とを特定する。次に、選択されたヘッドをアドレスに対応する位置に移動させるための駆動電流をボイスコイル１０４に供給し、ボイスコイルモータを駆動することによって、第１及び第２のヘッド１０１，１０２を記録媒体１０５に対してシーク動作させて、入力されたアドレスに対応する位置にヘッドを移動させる手段を有する構成となっている。
【００３５】
また、本実施の形態の磁気ディスク装置の制御部は、記録媒体１０５への情報の記録時には入力されたアドレスに応じて記録信号を供給するヘッドを選択すると共に、記録媒体１０５からの情報の再生時には第１及び第２のヘッド１０１，１０２で読み出された再生信号の内で、何れのヘッドで読み出された再生信号を出力させるかの選択を行う手段を有する構成となっている。すなわち、前述するテーブルを参照し入力されたアドレスに対応するヘッドの情報に基づいて、記録再生時におけるヘッドに出力する記録信号及びヘッドから出力される再生信号の選択を行う手段を有する構成となっている。
【００３６】
このように、本実施の形態の磁気ディスク装置の制御部では、従来の磁気ディスク装置が備える制御部の構成に加えて、前述する手段を備えることによって、記録再生時における第１のヘッド１０１と第２のヘッド１０２との選択と、入力されたアドレスに対応する位置への選択されたヘッドのシーク動作と、記録媒体１０５に対する記録信号の書き込み及び記録媒体１０５からの再生信号の読み出しとを制御する構成となっている。
【００３７】
以上の説明では、信号磁化の向きが記録媒体１０５の面内方向である面内磁気記録方式の磁気ディスク装置に本願発明を適用し、記録媒体１０５の内周と外周とにおけるヘッドスキューを低減させることにより、磁気ディスク装置の高記録密度化を実現する場合について説明した。
【００３８】
しかしながら、信号磁化の向きが記録媒体１０５の面に対して垂直方向である垂直磁気記録方式に本願発明を適用することによって、その効果がいっそう顕著となるものである。すなわち、記録媒体１０５のベースにリターン層（裏打ち層）及び磁性層（記録層）を設けた２層垂直磁気記録媒体を用いた垂直磁気記録方式の磁気ディスク装置では、面内磁気記録方式に比べてトラック幅の狭いヘッドを用いることができるため、記録媒体１０５のトラックピッチが狭くなり各トラック幅も狭くなるので、記録ポールのＡＢＳ面の面積を確保し記録に十分なヘッド磁界を確保することが可能となる本願発明を垂直磁気記録方式の磁気ディスク装置に適用することによって、さらなる高記録密度化を実現可能となる。
【００３９】
図３は本願発明の磁気ディスク装置の最大スキュー角における再生信号と従来構成の磁気ディスク装置の最大スキュー角における再生信号とを比較するための図である。ただし、図３は記録ポール幅ａ及び記録ポール長ｂが同じヘッドを本願発明の磁気ディスク装置と従来の磁気ディスク装置とに適用した場合の記録密度毎のＳ／Ｎ比の測定結果を示した図である。また、図３において、横軸は記録密度として１インチ辺りの磁束反転密度（ｆｃｉ：Ｆｌｕｘ  Ｃｈａｎｇｅ  ｐｅｒ  Ｉｎｃｈ）、縦軸はＳ／Ｎ比を示す。
【００４０】
図３から明らかなように、本願発明を適用した磁気ディスク装置における再生信号のＳ／Ｎ比のグラフ３０１は、２００〜６００ｋｆｃｉ以上までの全ての記録密度範囲において、従来の磁気ディスク装置における再生信号のＳ／Ｎ比のグラフ３０２よりも大きなＳ／Ｎ比が得られる。すなわち、本願発明を適用することによって、同じ大きさのヘッドを用いた場合には再生信号のＳ／Ｎ比の劣化を軽減できる。
【００４１】
従って、ヘッドの記録ポール幅ａを狭くした場合であっても、従来の磁気ディスク装置と同じ再生信号のＳ／Ｎ比を得ることができる。その結果、磁気ディスク装置の記録密度を向上させることができる。
【００４２】
以上説明したように、本実施の形態の磁気記録装置である磁気ディスク装置では、ヘッドアーム部材１０３の一端部に複数の磁気ヘッドを設けた構成として、ヘッドアーム部材１０３を記録媒体１０５の半径方向に対して２つに分割し、この分割されたヘッドアーム部材１０３の一端部にそれぞれヘッド１０１，１０２を設けた構成となるので、記録媒体１０５の同一記録面に対して第１及び第２のヘッド１０１，１０２を用いて信号の読み書きを行うこととなる。ここで、第１及び第２のヘッド１０１，１０２は、ヘッドアーム部材１０３の動作により記録媒体１０５の半径方向に移動されるので、記録媒体１０５の有効記録領域１０６が内周側から外周側方向に２つの領域に分割されると共に、この分割された２つの領域に第１のヘッド１０１または第２のヘッド１０２が割り当てられ、各ヘッド１０１，１０２が割り当てられた領域のみへの信号の記録および再生を行うことによって、従来よりもヘッドスキューを小さくし実効トラック幅を狭くした信号の記録及び再生が可能となる。その結果、第１及び第２のヘッド１０１，１０２の記録ポール幅ａを狭くした場合であっても、再生信号出力の低下等を改善することができ、磁気ディスク装置の記録密度を向上させることができる。また、記録媒体１０５に２層垂直磁気記録媒体用いる場合であっても、実効トラック幅を狭くできるので、トラックピッチを小さくすることができる。その結果、磁気ディスク装置の記録密度を向上させることができる。
【００４３】
特に、第１及び第２のヘッド１０１，１０２の間隔が記録媒体１０５の有効記録幅Ｗｗの１／２に設定されると共に、分割された領域の半径方向の中心位置でヘッドスキューがなくなるように第１及び第２のヘッド１０１，１０２が配置されているので、ヘッドスキューが従来の１個のヘッドを用いた場合の１／２に低減できる。さらには、第１及び第２のヘッド１０１，１０２の移動範囲が記録媒体１０５の半径方向に対して１／２となるので、シーク時間を短縮することもできるという格別の効果も得られる。
【００４４】
なお、本実施の形態の磁気ディスク装置では、ヘッドアーム部材１０３を２つに分割し、それぞれのヘッドアーム部材の一端にヘッド（第１及び第２のヘッド１０１，１０２）を配置する場合について説明したが、ヘッドアーム部材１０３の分割数は２に限定されることはなく、３個以上に分割しこの分割されたヘッドアーム部材の一端にヘッドをそれぞれ取り付ける構成としてもよいことはいうまでもない。ただし、ヘッド数をｎとした場合、隣接するヘッドの間隔が記録媒体１０５の有効記録幅Ｗｗの１／ｎとなるようにヘッドアーム部材１０３及びヘッドを形成すると共に、有効記録領域１０６を内周側から外周側へ有効記録幅Ｗｗの１／ｎずつのｎ個の領域に分割し、この分割された領域の半径方向の中心位置でヘッドスキューがなくなるように各ヘッドを配置することによって、ヘッドスキューをさらに小さくすることができる。
【００４５】
また、ヘッドアーム部材１０３を分割することなく、記録媒体１０５の半径方向に十分な大きさのヘッドアーム部材１０３を用い、このヘッドアーム部材１０３に２個以上の磁気ヘッドを取り付ける構成としてもよいことはいうまでもない。
【００４６】
また、本実施の形態の磁気ディスク装置では、ホスト装置からの動作指示に基づいて、第１及び第２のヘッド１０１，１０２の何れか一方のヘッドを用いて記録を行う構成としたが、これに限定されることはなく、例えば、１回の記録動作で第１及び第２のヘッド１０１，１０２からそれぞれ別々のデータを記録する並列記録を行うことによって、記録速度を２倍に向上させることができる。
【００４７】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００４８】
【発明の効果】
本願において開示される発明のうち代表的なものによって得られる効果を簡単に説明すれば、下記の通りである。
【００４９】
（１）磁気ディスクの有効記録領域が内周側から外周側方向に複数の領域に分けられると共に、複数の磁気ヘッドが予め割り当てられた領域のみへの信号の記録および読み出しを行うので、ヘッドスキューを小さく信号の記録及び読み出しが可能となる。
【００５０】
（２）ヘッドスキューを小さく信号の記録及び読み出しが可能となるので、磁気ヘッドの記録ポール幅を狭くした場合であっても、再生信号出力の低下等を改善することができる。
【００５１】
（３）磁気ヘッドの記録ポール幅を狭くした場合の再生信号出力の低下等を改善することができるので、磁気ディスク装置の高記録密度を向上することができる。
【図面の簡単な説明】
【図１】本発明の一実施の形態である磁気ディスク装置の概略構成を説明するための図である。
【図２】本実施の形態の磁気ディスク装置におけるスキュー角と有効トラック幅との関係を説明するための図である。
【図３】従来構成の磁気ディスク装置における再生信号の信号強度と、本実施の形態の磁気ディスク装置における再生信号の信号強度とを比較した図である。
【符号の説明】
１０１…第１のヘッド                １０２…第２のヘッド
１０３…ヘッドアーム部材            １０４…ボイスコイルモーター
１０５…記録媒体                    １０６…有効記録領域
３０１…本願発明を適用した磁気ディスク装置の再生信号のＳ／Ｎ比のグラフ
３０２…従来の磁気ディスク装置の再生信号のＳ／Ｎ比のグラフ
【図１】
2004310839.tif 000003
【図２】
2004310839.tif 000004
【図３】
2004310839.tif 000005